(57)【要約】【課題】観音開き式の扉に設けた仕切体の前面部に結露が発生するのを確実に防止することができ、その上仕切体に設けたヒータへの供給電力を低減することのできる扉装置を備えた冷凍冷蔵庫を提供する。【解決手段】庫内側周縁部に磁石４を有するガスケット５が設けられて開口部を開閉する観音開き式の扉装置を有し、この扉装置の一方の扉２の自由端の庫内側の上下方向に回転可能に設けられた仕切体１０を備え、この仕切体１０を、庫外側に開口する凹部１６ａの両側に庫外側に露出する磁石吸着部１６ｂが設けられた磁石吸着用鋼板１６、庫内側に開口し内部にヒータ２０が設けられて磁石吸着用鋼板１６の凹部１６ａ内に収容されて前面が庫外側に露出する断面コ字状のヒータ加熱用鋼板１７、及び磁石吸着用鋼板１６とヒータ加熱用鋼板１７との間に介装された熱遮断用樹脂１８からなる前面部１５と、庫内側を覆う断面コ字状の樹脂ケース２１と、樹脂ケース２１と前面部１５との間に介装された断熱材２２とによって構成した。【選択図】図３
2010071558.tif 000002
【特許請求の範囲】
【請求項１】
庫内側周縁部に磁石を有するガスケットが設けられて開口部を開閉する観音開き式の扉装置を有し、該扉装置の一方の扉の自由端の庫内側の上下方向に回転可能に設けられた仕切体を備え、
該仕切体は、庫外側に開口する凹部の両側に庫外側に露出する磁石吸着部が設けられた磁石吸着用鋼板、庫内側に開口し内部にヒータが設けられて前記磁石吸着用鋼板の凹部内に収容されて前面が庫外側に露出する断面コ字状のヒータ加熱用鋼板、及び前記磁石吸着用鋼板とヒータ加熱用鋼板との間に介装された熱遮断用樹脂からなる前面部と、庫内側を覆う断面コ字状の樹脂ケースと、該樹脂ケースと前記前面部との間に介装された断熱材とによって構成されたことを特徴とする冷凍冷蔵庫。
【請求項２】
庫内側周縁部に磁石を有するガスケットが設けられて開口部を開閉する観音開き式の扉装置を有し、該扉装置の一方の扉の自由端の庫内側の上下方向に回転可能に設けられた仕切体を備え、
該仕切体は、庫外側に開口する凹部の両側に庫外側に露出する磁石吸着部が設けられた磁石吸着用鋼板、及び庫内側に開口し内部にヒータが設けられて前記磁石吸着用鋼板の凹部内に収容されて前面が庫外側に露出する断面コ字状のヒータ加熱用樹脂からなる前面部と、庫内側を覆う断面コ字状の樹脂ケースと、該樹脂ケースと前記前面部との間に介装された断熱材とによって構成されたことを特徴とする冷凍冷蔵庫。
【請求項３】
前記ヒータを、前記ヒータ加熱用鋼板又はヒータ加熱用樹脂の庫内側にアルミテープで貼り付けたことを特徴とする請求項１又は２記載の冷凍冷蔵庫。
【請求項４】
前記ヒータ加熱用鋼板又はヒータ加熱用樹脂の庫内側に２本のヒータを設け、これらヒータを前記磁石吸着用鋼板とヒータ加熱用鋼板又はヒータ加熱用樹脂との間に介装したヒータ固定用樹脂の上下方向に設けた２本の凹溝に挿入し、これらヒータを前記ヒータ加熱用鋼板又はヒータ加熱用樹脂に接触させたことを特徴とする請求項１又は２記載の冷凍冷蔵庫。
【請求項５】
庫内側周縁部に磁石を有するガスケットが設けられて開口部を開閉する観音開き式の扉装置を有し、該扉装置の一方の扉の自由端の庫内側の上下方向に回転可能に設けられた仕切体を備え、
前記仕切体は、庫外側に露出して前面部を構成する前面鋼板、庫内側を覆う断面コ字状の樹脂ケース、及び該樹脂ケースと前記前面鋼板との間に介装された断熱材によって構成され、
前記扉装置は、両扉の自由端側のガスケットに互いに中央部側に膨出し密閉空間内に空気層を有し前記両扉を閉じたときに先端部が当接する膨出部を設けたことを特徴とする冷凍冷蔵庫。
【請求項６】
庫内側周縁部に磁石を有するガスケットが設けられて開口部を開閉する観音開き式の扉装置を有し、該扉装置の一方の扉の自由端の庫内側の上下方向に回転可能に設けられた仕切体を備え、
前記仕切体は、庫外側に露出し庫内側にヒータが設けられて前面部を構成する前面鋼板、庫内側を覆う断面コ字状の樹脂ケース、及び該樹脂ケースと前記前面鋼板との間に介装された断熱材によって構成され、
前記扉装置の両扉は、外板、内板、外板と内板との間に充填された断熱材、及び磁石を有し前記内板の庫内側周縁部に設けられたガスケットによって構成し、これら両扉の外板の自由端側の庫内側を、前記両扉を閉じたときに前記仕切体の前面部に近接するように構成したことを特徴とする冷凍冷蔵庫。
【請求項７】
前記仕切体の磁石吸着用鋼板又は前面鋼板の前記樹脂ケースと接する両端部をヘアピン状に折り返えしたことを特徴とする請求項１〜６のいずれかに記載の冷凍冷蔵庫。
【発明の詳細な説明】
【技術分野】
【０００１】
本発明は、冷凍冷蔵庫に係り、より詳しくは、冷蔵室等の扉を観音開き式の扉で構成し、一方の扉の開閉に伴って回転する仕切体を有する扉装置を備えた冷凍冷蔵庫に関するものである。
【背景技術】
【０００２】
従来の冷凍冷蔵庫は、一般に、一番上の室が冷蔵室で、扉は観音開き式の２枚扉で構成され、両扉の庫内側周縁部にはそれぞれ磁石を有するガスケットが取付けられており、両扉の中央部側（両扉の合わせ目側）の庫内側には、両扉の間のすき間を塞ぐための仕切体が設けられている。この仕切体は、一方の扉に設けた支持アームに回転可能に支持され、仕切体の上端部に設けた円弧状のガイド溝が、箱本体に設けたガイドピンに嵌合している。
【０００３】
そして、扉が閉められた状態では、仕切体のガイド溝はガイドピンに嵌合しており、仕切体は扉と平行になって左右の扉の間のすき間を塞いでいる。仕切体の前面部は鋼板で作られており、前面部が扉に設けたガスケットの磁石に吸着されて気密を保っている。仕切体を支持する扉を開くと、仕切体はガイドピンに沿って動きながら９０°回転してガイド溝がガイドピンから外れ、扉を閉じると、ガイド溝がガイドピンに嵌合して仕切体は逆方向に９０°回転し、元の状態に戻るようになっている。
【０００４】
しかしながら、このような従来の扉装置の仕切体は、前面部が鋼板（以下、前面鋼板という）で形成されて熱伝導率が高いため庫内冷気の影響を受けて冷え易く前面鋼板の外表面が冷えて結露すると水が次第に床まで垂れて床を傷めてしまうという問題があった。そこで、このような問題を解決するために、前面鋼板の裏側にヒータを設置し、前面鋼板を温めて結露を防止するようにしたものがある（例えば、特許文献１参照）。
【０００５】
また、冷蔵庫の仕切壁の扉と接する前面板を合成樹脂などの熱伝導率の低い材料で形成し、扉に設けたガスケットの磁石に吸着されるための鋼板などの磁性材料を前面板の裏側に設置したものがある（例えば、特許文献２，３参照）。
【０００６】
【特許文献１】特開平１０−４７８４４号公報（第３頁、図１−２）
【特許文献２】特開平１１−１１８３２７号公報（第４−５頁、図１）
【特許文献３】特開平１１−３１１４７８号公報（第３−４頁、図１）
【発明の開示】
【発明が解決しようとする課題】
【０００７】
特許文献１の冷凍冷蔵庫によれば、扉に設けた仕切体の前面鋼板に結露の生成されるのを防止できるが、ヒータは電力を浪費するばかりでなく、ヒータの熱によって庫内の熱負荷が増加し、消費電力が増大するという問題がある。
【０００８】
また、特許文献２，３の冷凍冷蔵庫は、仕切壁の前面板を合成樹脂で形成したので前面板の強度が低下し、これを仕切体に実施した場合変形し易いという問題がある。
また、合成樹脂製の前面板の裏側にガスケットの磁石を吸着するための鋼板などを設けているため、磁石の吸着性が弱く、これを扉の仕切体に実施した場合、気密性が低下するおそれがある。さらに、ガスケットの磁石の吸着用の鋼板などに、ヒータの如き加熱物を接触させると、鋼板などを伝わって庫内に侵入する熱流が増加し、消費電力が増大するという問題もある。
【０００９】
本発明は、上記の課題を解決するためになされたもので、観音開き式の扉に設けた仕切体の前面部に結露が発生するのを確実に防止することができ、その上仕切体に設けたヒータへの供給電力を低減することのできる扉装置を備えた冷凍冷蔵庫を提供することを目的としたものである。
【課題を解決するための手段】
【００１０】
本発明に係る冷凍冷蔵庫は、庫内側周縁部に磁石を有するガスケットが設けられて開口部を開閉する観音開き式の扉装置を有し、該扉装置の一方の扉の自由端の庫内側の上下方向に回転可能に設けられた仕切体を備え、該仕切体は、庫外側に開口する凹部の両側に庫外側に露出する磁石吸着部が設けられた磁石吸着用鋼板、庫内側に開口し内部にヒータが設けられて前記磁石吸着用鋼板の凹部内に収容されて前面が庫外側に露出する断面コ字状のヒータ加熱用鋼板、及び前記磁石吸着用鋼板とヒータ加熱用鋼板との間に介装された熱遮断用樹脂からなる前面部と、庫内側を覆う断面コ字状の樹脂ケースと、該樹脂ケースと前記前面部との間に介装された断熱材とによって構成されたものである。
【発明の効果】
【００１１】
本発明によれば、観音開き式の扉に設けた仕切体の前面部に結露が発生するのを確実に防止することができ、その上仕切体に設けたヒータへの供給電力を低減することのできる扉装置を備えた冷凍冷蔵庫を得ることができる。
【発明を実施するための最良の形態】
【００１２】
［実施の形態１］
図１は本発明の実施の形態１に係る冷凍冷蔵庫の斜視図、図２は図１の上面要部（符号Ｔで示す）の拡大説明図である。
冷凍冷蔵庫１の一番上の部屋は冷蔵室で、前面開口部には観音開き式の左扉２と右扉３とからなる扉装置が設けられている。そして、左右の扉２，３の庫内側の周縁部には、磁石４（図３参照）を有し空気層が形成されたガスケット５がそれぞれ設けられている。
【００１３】
１０は左扉２の庫内側の中央部側端部（右扉３との対向部で、以下、自由端という）の上下方向に、両扉２，３の間のすき間を塞ぐために設けられた仕切体で、左扉２の庫内側に設けた支持アーム１１に、ピン１２により回転可能に支持されている。そして、仕切体１０の上端部には、右扉３側に開口して箱本体の天板下面に設けたガイドピン１４に嵌入する円弧状のガイド溝１３が設けられている。
【００１４】
上記のように構成した冷蔵室の観音開き式の左右の扉２，３において、両扉２，３が閉じられた状態では、図２に示すように、仕切体１０のガイド溝１３はガイドピン１４に嵌合しており、仕切体１０は左扉２と平行になって両扉２，３の間のすき間を塞いでいる。
左扉２を矢印ａ方向に開くと、仕切体１０はガイド溝１３がガイドピン１４に沿って矢印ｂ方向に回転しながら移動し、９０°回転してガイド溝１３がガイドピン１４から外れ、左扉２は大きく開放される。
【００１５】
左扉２を閉じると、仕切体１０のガイド溝１３が再びガイドピン１４に嵌合し、仕切体１０を反矢印ｂ方向に９０°回転させて再び元の状態に戻る。なお、図１において、６は製氷室の扉、７は切換室の扉、８は野菜室の扉、９は冷凍室の扉で、図には引出し式の扉が示してある。
【００１６】
図３は図２の左右の扉及び仕切体の要部の断面図（図１のＡ−Ａ断面に相当）、図４は図３の仕切体の拡大図である。なお、図２と同じ部分には、これと同じ符号が付してある。
仕切体１０の前面部１５（庫外側）は、磁石吸着用鋼板１６と、ヒータ加熱用鋼板１７と、熱遮断用樹脂１８と、ヒータ加熱用鋼板１７を加熱するヒータ２０とからなり、庫内側の外郭は断面コ字状の樹脂ケース２１で覆われ、内部には断熱材２２が充填されている。
【００１７】
磁石吸着用鋼板１６は、幅方向の中央部に庫外側に開口する凹部１６ａが設けられ、その両側には庫外に露出した磁石吸着部１６ｂが形成されており、さらにその両側は庫内側に折曲げられて、樹脂ケース２１の内壁に結合されている。
【００１８】
熱遮断用樹脂１８は、庫外側に開口する断面コ字状に形成され、磁石吸着用鋼板１６の凹部１６ａ内に嵌合されている。そして、この熱遮断用樹脂１８の凹部内には、庫内側に開口する断面コ字状のヒータ加熱用鋼板１７が嵌合されており、その凹部１７ａ内にはヒータ２０がアルミテープ２０ａにより貼り付けられている。なお、この状態では、ヒータ加熱用鋼板１７の庫外側の面は、磁石吸着用鋼板１６の磁石吸着部１６ｂとほぼ同一平面上に位置する。
【００１９】
前面部１５が上記のように構成された仕切体１０において、磁石吸着用鋼板１６とヒータ加熱用鋼板１７とは、両者の間に熱遮断用樹脂１８が介装されているので、両者は接触することなく絶縁されている。
また、図３には示してないが、仕切体１０の上端部には、箱本体に設けたガイドピン１４に嵌合するガイド溝１３が設けられており、仕切体１０は図２の場合と同様に、左扉２に設けた支持アーム１１に、ピン１２により回転可能に支持されている。なお以下の説明では、支持体１０の前面部１５の庫外側の露出部分を前面露出部という。
【００２０】
上記のような扉装置を備えた本実施の形態に係る冷凍冷蔵庫１において、両扉２，３の開閉に伴う仕切体１０の作用は、図２で説明した通りである。本実施の形態によれば、仕切体１０の前面部１５にヒータ２０を設けて、ヒータ加熱用鋼板１７を加熱するようにしたので、前面露出部に結露が生じることはない。
【００２１】
周知のように、熱流は熱伝導率の高い材料からなる部品を伝わり易く、高温側から低温側へ流れる性質があるため、ヒータ２０からの熱はヒータ加熱用鋼板１７を通って拡散される。従来のように、ヒータから庫内までが１つの鋼板部品で連通している場合は、ヒータの熱が鋼板を通って庫内まで侵入し、庫内の熱負荷が増加すると共に、鋼板の温度が低下し易いため、ヒータへの供給電力が増加していた。
【００２２】
本実施の形態は、ヒータ加熱用鋼板１７は熱遮断用樹脂１８で囲まれており、樹脂は鋼板より熱伝導率が低く熱が伝わりにくいため、ヒータ２０の熱が庫内へ伝わりにくくなる。そのため、従来と同等の電力をヒータ２０に与えると、ヒータ加熱用鋼板１７の温度が従来より上昇する。
【００２３】
仕切体１０の前面部１５の前面露出部の結露を防ぐためには、ヒータ加熱用鋼板１７の温度は外気の露点温度以上であればよいので、余分な温度上昇を回避するためにはヒータ２０への供給電力を低減すればよく、これにより、ヒータ２０で浪費する消費電力を削減することができる。
また、仕切体１０から庫内へ侵入する熱負荷が減少するため冷凍能力が低くてすみ、これにより、圧縮機の運転率や回転数を下げることができるため、圧縮機運転のための消費電力を低減することができる。
【００２４】
ヒータ加熱用鋼板１７からの熱を遮断する部材の材料は、熱伝導率の低い材料であれば樹脂以外でもよく、熱伝導率が低い材料ほど省エネルギー効果は大きい。ヒータ加熱用の部材が鋼板の場合は前面部１５の表面温度を均一化し易く、ヒータ２０をアルミテープ２０ａで鋼板に貼り付ければ、温度分布をさらに均一化することができる。温度分布が不均一であると露点温度以上に加熱する部分が生じて、ヒータ２０への入力電力が増加するため、温度分布を均一化することで、ヒータ２０への入力電力を最低限に抑えることができる。
【００２５】
また、本実施の形態は、仕切体１０の前面部１５が磁石吸着用鋼板１６、ヒータ加熱用鋼板１７及び熱遮断用樹脂１８によって構成され、かつ鋼板は曲げ加工されているため強度を高めることができ、その上磁石吸着用鋼板１６は１部品で形成されているのでねじれに強く、このため仕切体１０に回転動作を与えても、部品どうしの位置ずれを生ずることがない。
【００２６】
さらに、磁石吸着用鋼板１６のガスケット５の磁石４に吸着される磁石吸着部１６ｂは、庫外に露出しているため磁石４の吸着率が高く、このため気密性が確実に保たれる。なお、磁石吸着用鋼板１６（後述の前面鋼板２６を含む）の両端部は仕切体１０の内部に位置するため、端部のバリ等によって指などを損傷するおそれがない。
【００２７】
［実施の形態２］
図５は本発明の実施の形態２に係る冷凍冷蔵庫の冷蔵室の左右の扉及び仕切体の要部の断面図である。なお、実施の形態１と同じ部分にはこれと同じ符号を付し、説明を省略する。
本実施の形態に係る仕切体１０の前面部１５は、実施の形態１の磁石吸着用鋼板１６と同じ構造の磁石吸着用鋼板１６と、ヒータ加熱用樹脂２３とによって構成したものである。
【００２８】
ヒータ加熱用樹脂２３は庫内側に開口した断面コ字状に形成され、磁石吸着用鋼板１６の凹部１６ａ内に嵌合固定されたもので、その凹部内にはヒータ２０がアルミテープによって貼り付けられている。
本実施の形態は、ヒータ２０の熱が伝達される加熱用部材を、ヒータ２０による加熱と熱遮断の両方の機能を有する熱伝導率の低い樹脂材料で構成したので、ヒータ２０から磁石吸着用鋼板１６までの熱抵抗が増加し、庫内への熱負荷を低減することができる。そのため、実施の形態１の場合とほぼ同様の効果を得ることができるが、さらに、前面部１５を磁石吸着用鋼板１６とヒータ加熱用樹脂２３の２部品で構成したので、コストを低減することができる。
【００２９】
［実施の形態３］
図６は本発明の実施の形態３に係る冷凍冷蔵庫の冷蔵室の左右の扉及び仕切体の要部の断面図である。なお、実施の形態２と同じ部分にはこれと同じ符号を付し、説明を省略する。
本実施の形態は、実施の形態２において、仕切体１０のヒータ加熱用樹脂２３の凹部内に２本のヒータ２０を設けると共に、磁石吸着用鋼板１６とヒータ加熱用樹脂２３との間に、ヒータ固定用樹脂２４を設けたものである。
【００３０】
本実施の形態においては、ヒータ２０を２本設けたので、ヒータ２０をヒータ加熱用樹脂２３にアルミテープで貼り付ける空間が少なくなって、固定が困難になる。このため、ヒータ固定用樹脂２４の庫外側（ヒータ加熱用樹脂２３に接する側）の上下方向に２本の凹溝２４ａを設け、この凹溝２４ａにそれぞれヒータ２０を挿入して固定し、ヒータ２０をヒータ加熱用樹脂２３に接触させたものである。この場合、ヒータ２０を固定する部材はヒータ固定用樹脂２４に限定するものではなく、熱伝導率の低い材料であればよく、熱伝導率が低い材料ほど庫内側への熱負荷を低減することができる。
【００３１】
本実施の形態によれば、実施の形態２の場合とほぼ同様の効果を得ることができるが、さらに、ヒータ２０を２本設けたので発熱密度を低減することができるため、仕切体１０の表面部１５の表面の温度分布を均一にすることができ、これによりヒータ２０への入力電力を最低限に抑えることができる。なお、実施の形態１の仕切体１０においてもヒータ２０を２本設け、ヒータ固定用樹脂２４で固定するようにしてもよい。
【００３２】
［実施の形態４］
図７は本発明の実施の形態４に係る冷凍冷蔵庫の冷蔵室の左右の扉及び仕切体の要部の断面図である。なお、実施の形態１と同じ部分にはこれと同じ符号を付し、説明を省略する。
本実施の形態は、左右の扉２，３の自由端の対向する端部の庫内側のガスケット５に、上下方向に沿って中央部側に突出し、内部の密閉空間内に空気層を有する断面ほぼ横Ｕ字状の膨出部２５を設け、両扉２，３を閉じたときに、両膨出部２５の先端部が当接するように構成したものである。
【００３３】
また、仕切体１０の前面部１５には、全幅にわたって平坦で庫外に露出する前面露出部と磁石吸着部を兼ねた前面鋼板２６が設けられている。なお、実施の形態１〜３で前面部１５に設けた磁石吸着用鋼板１６、ヒータ加熱用鋼板１７（又はヒータ加熱用樹脂２３）、ヒータ２０等は設けられていない。また、図には膨出部２５を断面ほぼ横Ｕ字状に形成した場合を示したが、例えば断面形状が楕円形や長方形などであってもよく、空気層が存在する密閉空間を有するものであればよい。
【００３４】
本実施の形態においては、両扉２，３を閉じると、仕切体１０の前面鋼板２６が外気と接する空間を膨出部２５が塞いで、前面鋼板２６と外気との間に膨出部２５による密閉空間が形成される。この密閉空間内の空気層は断熱性がよく、外気と接する膨出部２５の表面温度を高温に保つため、前面鋼板２６の温度が低下して前面露出部に結露が生成するのを防止することができる。
また、本実施の形態によれば、仕切体１０の構造が簡単なのでコストを低減することができ、さらに、ヒータを設けていないのでランニングコストを低減することができる。
【００３５】
［実施の形態５］
図８は本発明の実施の形態５に係る冷凍冷蔵庫の左右の扉と仕切体の要部の断面図である。なお、実施の形態１と同じ部分にはこれと同じ符号を付し、説明を省略する。
【００３６】
本実施の形態は、実施の形態１の冷凍冷蔵庫１において、左右の扉２，３の庫内側周縁部に設けたガスケット５の自由端側の一部を切除し、両扉２，３の内板２ｂ，３ｂのガスケット保持部の自由端側を庫内側に延設すると共に、両扉２，３の外板２ａ，３ａの自由端側を庫内側に延設して内板２ｂ，３ｂに接合し、両扉２，３を閉じたときに、外板２ａ，３ａが仕切体１０の前面鋼板２６に近接するように構成したものである。なお、仕切体１０は実施の形態４（図７）の場合とほぼ同じ構造であるが、前面鋼板２６の庫内側には２本のヒータ２０が設けられている。この場合、２本のヒータ２０を実施の形態３のヒータ固定用樹脂２４で固定してもよい。
【００３７】
上記のように構成した本実施の形態によれば、仕切体１０の前面鋼板２６は２本のヒータ２０によって加熱されているので、その前面露出部が外気と接していても結露を生じることがない。
また、ガスケット５内の空気層は熱伝導率が低く熱が伝わりにくいが、この空気層の一部を切除したことにより、外気の熱が外板２ａ，３ｂから効率よく前面鋼板２６に伝わるため、ヒータ２０への供給電力を低減することができる。
【００３８】
さらに、外気の熱は、両扉２，３の外板２ａ，３ａから前面鋼板２６に伝えられると共に、周囲の空気も暖められるため前面鋼板２６の温度が上昇し、これにより、ヒータ２０への供給電力をより低減することができる。
【００３９】
図９は本実施の形態の仕切体の他の例を示す断面図である。
本例は、仕切体１０の前面鋼板２６の両端部をヘアピン状に内側へ折曲げて、樹脂ケース２１の内壁面に当接するようにしたものである。このように構成したことにより、前面鋼板２６の樹脂ケース２１への接触面積が減るため、接触熱抵抗が大きくなってヒータ２０から庫内へ入る熱流が低減するので、ヒータ２０への供給電力をさらに低減することができる。また、両端部をヘアピン状に折曲げたので、前面鋼板２６の強度を高めることができる。なお、実施の形態１〜３の磁石吸着用鋼板１６の両端部もヘアピン状に内側へ折曲げてもよい。
【００４０】
以上本発明の実施の形態について説明したが、これらはそれぞれ単独で実施してもよく、適宜組合わせて実施してもよい。
【００４１】
上記の説明では、冷凍冷蔵庫の冷蔵室の観音開き式の扉に本発明を実施した場合を示したが、これに限定するものではなく、観音開き式の扉であれば他の室の扉にも本発明を実施することができる。
また、観音開き式の扉の左扉に仕切体を設けた場合を示したが、右扉に仕切体を設けた冷凍冷蔵庫においても同様に本発明を実施することができる。
さらに、図示の冷凍冷蔵庫に本発明を実施した場合を示したが、これに限定するものではなく、観音開き式の扉を有するものであれば、他の構造の冷凍冷蔵庫にも本発明を実施することができる。
【図面の簡単な説明】
【００４２】
【図１】本発明の実施の形態１に係る冷凍冷蔵庫の斜視図である。
【図２】図１の上面要部の拡大図である。
【図３】図２の左右の扉及び仕切体の要部の断面図である。
【図４】図３の仕切体の拡大図である。
【図５】本発明の実施の形態２に係る冷凍冷蔵庫の冷蔵室の左右の扉及び仕切体の要部の断面図である。
【図６】本発明の実施の形態３に係る冷凍冷蔵庫の冷蔵室の左右の扉及び仕切体の要部の断面図である。
【図７】本発明の実施の形態４に係る冷凍冷蔵庫の冷蔵室の左右の扉及び仕切体の要部の断面図である。
【図８】本発明の実施の形態５に係る冷凍冷蔵庫の冷蔵室の左右の扉及び仕切体の要部の断面図である。
【図９】図８の仕切体の他の例を示す断面図である。
【符号の説明】
【００４３】
１  冷凍冷蔵庫、２  左扉、３  右扉、２ａ，３ａ  外板、２ｂ，３ｂ  内板、４  磁石、５  ガスケット、１０  仕切体、１１  支持アーム、１３  ガイド溝、１４  ガイドピン、１５  前面部、１６  磁石吸着用鋼板、１７  ヒータ加熱用鋼板、１８  熱遮断用樹脂、２０  ヒータ、２１  樹脂ケース、２２  断熱材、２３  ヒータ加熱用樹脂、２４  ヒータ固定用樹脂、２５  膨出部、２６  前面鋼板。
【図１】
2010071558.tif 000003
【図２】
2010071558.tif 000004
【図３】
2010071558.tif 000005
【図４】
2010071558.tif 000006
【図５】
2010071558.tif 000007
【図６】
2010071558.tif 000008
【図７】
2010071558.tif 000009
【図８】
2010071558.tif 000010
【図９】
2010071558.tif 000011